(57)【要約】【課題】新番組または特別番組の番組内容をより判り易く提示するテレビジョン受信装置を実現する。【解決手段】テレビジョン受信装置１は、ＥＰＧ情報に含まれているアクセス情報（アドレス情報）に基づき、ネットワークＮを介してコンテンツ格納装置２と接続することによって、そのコンテンツ格納装置２に格納されている新番組または特別番組のプロモーション用の映像コンテンツを取得することができ、テレビジョン受信装置１の映像表示部１５に取得した映像コンテンツを表示することで、新番組または特別番組の番組内容を、より詳細により判り易く提示することを可能にした。【選択図】図１
2009055101.tif 000002
【特許請求の範囲】
【請求項１】
テレビジョン放送信号を受信する受信手段と、
前記受信手段により受信されたテレビジョン放送信号から番組情報を取得する取得手段と、
前記取得手段により取得された番組情報に含まれる新番組または特別番組に関する映像コンテンツを格納しているコンテンツ格納装置へのアクセス情報を検出する検出手段と、
前記検出手段により検出されたアクセス情報に基づき、ネットワークを介して前記コンテンツ格納装置と接続する接続手段と、
前記接続手段により接続された前記コンテンツ格納装置から、新番組または特別番組に関する映像コンテンツを得るための操作入力を行う操作手段と、
前記操作手段における操作入力に応じて得られた前記映像コンテンツを表示する表示手段と、
を備えることを特徴とするテレビジョン受信装置。
【請求項２】
前記操作手段における操作入力に応じて得られた前記映像コンテンツを記憶する記憶手段を備えることを特徴とする請求項１に記載のテレビジョン受信装置。
【請求項３】
テレビジョン放送信号を受信する受信手段と、
前記受信手段により受信されたテレビジョン放送信号から番組情報を取得する取得手段と、
前記取得手段により取得された番組情報に含まれる新番組または特別番組に関する映像コンテンツを格納しているコンテンツ格納装置へのアクセス情報を検出する検出手段と、
前記検出手段により検出されたアクセス情報に基づき、ネットワークを介して前記コンテンツ格納装置と接続する接続手段と、
前記接続手段により接続された前記コンテンツ格納装置から、新番組または特別番組に関する映像コンテンツを得るための操作入力を行う操作手段と、
前記操作手段における操作入力に応じて得られた前記映像コンテンツを記憶する記憶手段と、
前記記憶手段に記憶されている前記映像コンテンツを表示する表示手段と、
を備えることを特徴とするテレビジョン受信装置。
【発明の詳細な説明】
【技術分野】
【０００１】
本発明は、テレビジョン受信装置に関する。
【背景技術】
【０００２】
従来、放送番組に関する電子番組表情報（ＥＰＧ；Electronic Program Guide）を取得し、その番組表情報に基づき、番組の放送パターンを捉えることで新番組や特別番組を検出し、所望する番組の選択を可能にする装置が知られている（例えば、特許文献１参照。）。
【０００３】
また、放送信号から電子番組表に関する情報を取り出して、その情報からキーワードを抽出し、そのキーワードに関連するウェブサイトをサーチエンジンにより検索して表示する装置が知られている（例えば、特許文献２参照。）。
また、入力されたキーワードに基づき、携帯端末装置のメニュー項目の検索を行う技術が知られている（例えば、特許文献３参照。）。
また、入力されたキーワードに基づく情報検索を、放送信号から抽出した電子番組表データとインターネット上のサーチエンジンとを用いて同時に行い、その２つの検索の何れかで得られた検索結果を出力する装置が知られている（例えば、特許文献４参照。）。
【特許文献１】特開２０００−３４１５９３号公報
【特許文献２】特開２００４−２３３４５号公報
【特許文献３】特開２００５−１０８０５６号公報
【特許文献４】特開２００６−２７０７３４号公報
【発明の開示】
【発明が解決しようとする課題】
【０００４】
しかしながら、上記特許文献１の場合、ユーザが所望する番組内容であり継続して視聴している番組（例えば、チャンネル、放送曜日および時間帯を把握している番組）ではない新番組や特別番組を検出し、視聴可能にすることはできるが、その検出された新番組や特別番組が、ユーザの嗜好に合う番組であるか否かは、番組表情報から得られる付加的な番組内容説明である文字情報に基づき判断しなければならず、その文字情報の説明では新番組や特別番組の内容が判り難いことがあるという問題があった。
【０００５】
本発明の目的は、新番組または特別番組の番組内容をより判り易く提示するテレビジョン受信装置を提供することである。
【課題を解決するための手段】
【０００６】
以上の課題を解決するため、請求項１に記載の発明は、テレビジョン受信装置であって、
テレビジョン放送信号を受信する受信手段と、
前記受信手段により受信されたテレビジョン放送信号から番組情報を取得する取得手段と、
前記取得手段により取得された番組情報に含まれる新番組または特別番組に関する映像コンテンツを格納しているコンテンツ格納装置へのアクセス情報を検出する検出手段と、
前記検出手段により検出されたアクセス情報に基づき、ネットワークを介して前記コンテンツ格納装置と接続する接続手段と、
前記接続手段により接続された前記コンテンツ格納装置から、新番組または特別番組に関する映像コンテンツを得るための操作入力を行う操作手段と、
前記操作手段における操作入力に応じて得られた前記映像コンテンツを表示する表示手段と、
を備えることを特徴とする。
【０００７】
請求項２に記載の発明は、請求項１に記載のテレビジョン受信装置において、
前記操作手段における操作入力に応じて得られた前記映像コンテンツを記憶する記憶手段を備えることを特徴とする。
【０００８】
請求項３に記載の発明は、テレビジョン受信装置であって、
テレビジョン放送信号を受信する受信手段と、
前記受信手段により受信されたテレビジョン放送信号から番組情報を取得する取得手段と、
前記取得手段により取得された番組情報に含まれる新番組または特別番組に関する映像コンテンツを格納しているコンテンツ格納装置へのアクセス情報を検出する検出手段と、
前記検出手段により検出されたアクセス情報に基づき、ネットワークを介して前記コンテンツ格納装置と接続する接続手段と、
前記接続手段により接続された前記コンテンツ格納装置から、新番組または特別番組に関する映像コンテンツを得るための操作入力を行う操作手段と、
前記操作手段における操作入力に応じて得られた前記映像コンテンツを記憶する記憶手段と、
前記記憶手段に記憶されている前記映像コンテンツを表示する表示手段と、
を備えることを特徴とする。
【発明の効果】
【０００９】
本発明によれば、テレビジョン受信装置は、番組情報に含まれているアクセス情報であって、新番組または特別番組に関する映像コンテンツを格納しているコンテンツ格納装置へのアクセス情報に基づき、ネットワークを介してコンテンツ格納装置と接続することができ、そのコンテンツ格納装置に格納されている新番組または特別番組に関する映像コンテンツを所定の操作に応じて取得し、テレビジョン受信装置に取得した映像コンテンツを表示することができる。
このように、テレビジョン受信装置は、例えば、新番組または特別番組の番組内容をより詳細に説明するプロモーション用の映像コンテンツを表示することができるので、従来技術における文字情報による番組内容の説明に比べて、ユーザ（視聴者）に対して新番組または特別番組の番組内容をより判り易く提示することができる。
【発明を実施するための最良の形態】
【００１０】
以下、図を参照して、本発明に係るテレビジョン受信装置の実施形態を詳細に説明する。なお、発明の範囲は、図示例に限定されない。
【００１１】
テレビジョン受信装置１は、図１に示すように、アンテナ１１ａを有するチューナ１１と、復調器１２と、デコーダ１３と、接続部１９と、操作部１６と、記憶部１７と、制御部１８等を備えて構成される。各部は、バス１０によって接続されている。また、テレビジョン受信装置１は、デコーダ１３と接続する音声出力部１４や映像表示部１５を備えている。
なお、テレビジョン受信装置１は、図１に示すように、ネットワークＮを介して外部機器であるコンテンツ格納装置２と接続可能となっている。
【００１２】
チューナ１１は、制御部１８から入力される制御信号に従って、例えば、受信手段として機能し、ユーザによる操作部１６の操作により選択された一の番組に関するテレビジョン放送信号を受信する。
具体的には、チューナ１１は、例えば、アンテナ１１ａにより受信されたテレビジョン放送信号（例えば、デジタル方式のテレビジョン放送信号）から、ユーザ所望の番組のチャンネルに対応する周波数帯域に存在するテレビジョン放送信号を受信し、その受信したテレビジョン放送信号を変調して、中間周波信号を復調器１２に出力する。
【００１３】
また、チューナ１１は、制御部１８から入力される制御信号に従って、例えば、取得手段として機能し、テレビジョン放送信号から、番組名、番組が属するジャンルに関するジャンル情報等の番組詳細情報を含む番組情報としてのＥＰＧ情報を取得する。
具体的には、チューナ１１は、例えば、アンテナ１１ａにより受信されたテレビジョン放送信号からＥＰＧ情報を取得して、記憶部１７に出力する。
ここで、チューナ１１により取得されるＥＰＧ情報には、例えば、番組名、ジャンル、番組内容、出演者名、チャンネル番号、放送開始時間、放送終了時間等に関する情報や、番組を特定するためのイベントＩＤなどが含まれている。
特に、本発明において、ＥＰＧ情報には、新番組や特別番組であることを示す識別情報や、新番組や特別番組の番組内容に関するより詳細なデータが蓄積されている外部機器（例えば、コンテンツ格納装置２）へアクセスするためのアクセス情報が含まれている。このアクセス情報は、例えば、所定のホームページへアクセスするためのアドレス情報である。
なお、チューナ１１により取得されるＥＰＧ情報は、チューナ１１により受信可能な全てのチャンネルに関するＥＰＧ情報である。
【００１４】
復調器１２は、制御部１８から入力される制御信号に従って、例えば、チューナ１１から入力された中間周波信号に対してデジタル復調や誤り訂正などの処理を施して、ストリーム（例えば、トランスポートストリーム）をデコーダ１３に出力する。
【００１５】
デコーダ１３は、制御部１８から入力される制御信号に従って、例えば、復調器１２から入力されたトランスポートストリームを解読して、そのトランスポートストリームを構成する各トランスポートパケットを判別し、ユーザ所望の番組に関連するトランスポートパケットにかかるデータを、音声データと映像データとに分離する。そして、音声データをデコードして音声出力部１４に出力するとともに、映像データをデコードして映像表示部１５に出力する。
また、デコーダ１３は、制御部１８から入力される制御信号に従って、チューナ１１により取得されて記憶部１７に記憶されたＥＰＧ情報をデコードして、映像表示部１５に出力する。
【００１６】
音声出力部１４は、例えば、スピーカ機器であり、デコーダ１３から出力された音声データに基づく音声を出力する。
【００１７】
映像表示部１５は、例えば、液晶表示機器であり、デコーダ１３から出力された映像データに基づく映像を出力する。
特に、本発明において、映像表示部１５は、例えば、表示手段として機能し、映像コンテンツ表示制御プログラム１８３ａを実行したＣＰＵ１８１（後述）が、後述するコンテンツ格納装置２から得た新番組や特別番組に関する映像コンテンツを表示する際に使用される。
また、映像表示部１５は、接続部１９がネットワークＮを介して接続したコンテンツ格納装置２から提供される映像や画像（例えば、ホームページ画面）などの表示も可能としている。
【００１８】
接続部１９は、例えば、ルータを備えており、ネットワークＮを介してテレビジョン受信装置１を外部機器に接続する。
具体的には、接続部１９は、例えば、接続手段として機能し、テレビジョン受信装置１を、ネットワークＮを介して外部機器であるコンテンツ格納装置２と接続する際に使用される。
【００１９】
ここで、コンテンツ格納装置２について説明する。
コンテンツ格納装置２は、例えば、放送番組を配信している放送局が管理するサーバ装置であり、例えば、放送局や放送番組のホームページをユーザに提供するために様々な情報やデータがコンテンツ格納装置２に格納されている。
特に、コンテンツ格納装置２は、新番組や特別番組の番組内容を紹介したり説明したりするための映像コンテンツを格納している。この映像コンテンツは、新番組や特別番組の番組内容をより詳細により判り易く説明し、ユーザ（視聴者）に新番組や特別番組を視聴することを提示するためのプロモーション映像である。
そして、コンテンツ格納装置２は、例えば、そのホームページ上に、新番組または特別番組に関する映像コンテンツをユーザに提供するためのアクセスポイントを有している。
【００２０】
操作部１６は、例えば、テレビジョン受信装置１の外面に設けられた操作ボタンや、テレビジョン受信装置１用のリモートコントローラ（図示省略）などから構成されており、ユーザにより操作されると、その操作に伴う各種信号を制御部１８に出力する。
この操作部１６は、例えば、操作手段として機能し、接続部１９により接続されたコンテンツ格納装置２から新番組や特別番組に関する映像コンテンツを得るための操作入力を行う際に使用される。
【００２１】
記憶部１７は、例えば、磁気的記録媒体、光学的記録媒体、若しくは半導体メモリで構成されている。
具体的には、記憶部１７は、図１に示すように、ＥＰＧ情報データテーブル１７ａを記憶する。また、記憶部１７は、例えば、記憶手段として機能し、映像コンテンツデータテーブル１７ｂを記憶する。
【００２２】
ＥＰＧ情報データテーブル１７ａは、制御部１８から入力される制御信号に従い、チューナ１１から入力されたＥＰＧ情報を記憶する。
ここで、ＥＰＧ情報データテーブル１７ａに記憶されるＥＰＧ情報は、例えば、チューナ１１によりＥＰＧ情報が取得される度に更新されることとする。
【００２３】
映像コンテンツデータテーブル１７ｂは、映像コンテンツ取得制御プログラム１８３ｂを実行したＣＰＵ１８１（後述）が、後述するコンテンツ格納装置２からダウンロードするなどして取得した新番組や特別番組に関する映像コンテンツデータを記憶する。
【００２４】
制御部１８は、図１に示すように、ＣＰＵ（Central Processing Unit）１８１と、ＲＡＭ（Random Access Memory）１８２と、ＲＯＭ（Read Only Memory）１８３とを備えている。
【００２５】
ＣＰＵ１８１は、例えば、ＲＯＭ１８３に記憶されたテレビジョン受信装置１用の各種処理プログラムに従って各種の制御動作を行う。
【００２６】
ＲＡＭ１８２は、例えば、ＣＰＵ１８１によって実行される処理プログラムなどを展開するためのプログラム格納領域や、入力データや上記処理プログラムが実行される際に生じる処理結果などを格納するデータ格納領域などを備える。
【００２７】
ＲＯＭ１８３は、テレビジョン受信装置１で実行可能なシステムプログラム、当該システムプログラムで実行可能な各種処理プログラム、これら各種処理プログラムを実行する際に使用されるデータ、ＣＰＵ１８１によって演算処理された処理結果のデータ等を記憶する。なお、プログラムは、コンピュータが読み取り可能なプログラムコードの形でＲＯＭ１８３に記憶されている。
具体的には、ＲＯＭ１８３は、図１に示すように、映像コンテンツ表示制御プログラム１８３ａと、映像コンテンツ取得制御プログラム１８３ｂと、外部機器接続プログラム１８３ｃと、アクセス情報検出プログラム１８３ｄ等を記憶している。
【００２８】
アクセス情報検出プログラム１８３ｄは、ＣＰＵ１８１に、記憶部１７（ＥＰＧ情報データテーブル１７ａ）に記憶されているＥＰＧ情報に含まれるアクセス情報であって、新番組または特別番組に関する映像コンテンツを格納しているコンテンツ格納装置２へのアクセス情報を検出させる機能を実現させるプログラムである。
つまり、アクセス情報検出プログラム１８３ｄを実行するＣＰＵ１８１は、ＥＰＧ情報からアクセス情報（例えば、ホームページのアドレス情報）を検出する検出手段として機能する。
具体的には、検出手段としてのＣＰＵ１８１は、テレビジョン受信装置１の操作部１６においてなされた所定の操作に応じて、ＥＰＧ情報からアクセス情報（アドレス情報）を検出する。なお、ＥＰＧ情報などの中から所定の文字列等に基づいてアドレス情報を検出する技術は周知技術であるので、ここでは詳述しない。
【００２９】
外部機器接続プログラム１８３ｃは、ＣＰＵ１８１に、検出手段としてのＣＰＵ１８１により検出されたアクセス情報（アドレス情報）に基づき、接続部１９とネットワークＮを介してコンテンツ格納装置２へアクセスさせる機能を実現させるプログラムである。
つまり、外部機器接続プログラム１８３ｃを実行するＣＰＵ１８１は、検出されたアクセス情報（アドレス情報）に基づき、ネットワークＮを介してテレビジョン受信装置１とコンテンツ格納装置２とを接続する接続手段の一部として機能する。
具体的には、接続手段としてのＣＰＵ１８１は、テレビジョン受信装置１の操作部１６においてなされた所定の操作に応じて、ネットワークＮを介してテレビジョン受信装置１とコンテンツ格納装置２を接続する。なお、アクセス情報を検出するための操作や、その操作に応じてアクセス情報を検出したことをトリガーとして、テレビジョン受信装置１とコンテンツ格納装置２を接続するようにしてもよい。
【００３０】
映像コンテンツ取得制御プログラム１８３ｂは、ＣＰＵ１８１に、接続部１９とネットワークＮとを介して接続されたコンテンツ格納装置２から、そのコンテンツ格納装置２に格納されている新番組または特別番組に関する映像コンテンツを取得させる機能を実現させるプログラムである。
つまり、映像コンテンツ取得制御プログラム１８３ｂを実行するＣＰＵ１８１は、コンテンツ格納装置２から映像コンテンツを取得し、テレビジョン受信装置１にその映像コンテンツをもたらすコンテンツ獲得手段として機能する。
具体的には、コンテンツ獲得手段としてのＣＰＵ１８１は、接続部１９とネットワークＮを介してコンテンツ格納装置２におけるアクセスポイントに接続したテレビジョン受信装置１の操作部１６において、映像コンテンツを得るための所定の操作入力が行われたことに伴い、コンテンツ格納装置２に格納されている映像コンテンツをダウンロードするなどして取得し、記憶部１７に出力して、その映像コンテンツを映像コンテンツデータテーブル１７ｂに記憶する。
【００３１】
映像コンテンツ表示制御プログラム１８３ａは、ＣＰＵ１８１に、コンテンツ獲得手段としてのＣＰＵ１８１によって得た映像コンテンツを映像表示部１５に表示させる機能を実現させるプログラムである。
つまり、映像コンテンツ表示制御プログラム１８３ａを実行するＣＰＵ１８１は、ネットワークＮを介してコンテンツ格納装置２に接続したテレビジョン受信装置１の操作部１６における所定の操作入力に応じて得られた映像コンテンツを映像表示部１５に表示する表示手段の一部として機能する。
具体的には、表示手段としてのＣＰＵ１８１は、テレビジョン受信装置１の操作部１６に対してなされた所定の操作入力に応じて得られた映像コンテンツであって、記憶部１７の映像コンテンツデータテーブル１７ｂに記憶された映像コンテンツを映像表示部１５に表示する。
【００３２】
次に、テレビジョン受信装置１における映像コンテンツの表示処理について、図２に示すフローチャートに基づき説明する。
【００３３】
まず、電源が投入され起動しているテレビジョン受信装置１におけるＣＰＵ１８１が、テレビジョン受信装置１の操作部１６において、コンテンツ格納装置２へのアクセスを所望する操作入力がなされたか否かを判断する（ステップＳ１０１）。
ＣＰＵ１８１が、アクセス情報を検出するためのアクセス操作がなされたと判断すると（ステップＳ１０１；Ｙｅｓ）、ＣＰＵ１８１は、記憶部１７に記憶されているＥＰＧ情報に含まれているアクセス情報（アドレス情報）を検出する（ステップＳ１０２）。
【００３４】
次いで、ＣＰＵ１８１は、記憶部１７のＥＰＧ情報データテーブル１７ａに格納されているＥＰＧ情報から有効なアクセス情報（アドレス情報）が得られたか否かを判断する（ステップＳ１０３）。
ＣＰＵ１８１が、有効なアクセス情報（アドレス情報）を検出し取得すると（ステップＳ１０３；Ｙｅｓ）、ＣＰＵ１８１は、その取得したアクセス情報（アドレス情報）に基づき、ネットワークＮを介してテレビジョン受信装置１をコンテンツ格納装置２に接続する（ステップＳ１０４）。
一方、有効なアクセス情報（アドレス情報）が無かった場合（ステップＳ１０３；Ｎｏ）、ステップＳ１０１に戻る。
【００３５】
次いで、ＣＰＵ１８１は、テレビジョン受信装置１の操作部１６において、コンテンツ格納装置２から、新番組または特別番組に関する映像コンテンツを取得するための操作入力がなされたか否かを判断する（ステップＳ１０５）。
ＣＰＵ１８１が、映像コンテンツを取得するための操作がなされたと判断すると（ステップＳ１０５；Ｙｅｓ）、ＣＰＵ１８１は、コンテンツ格納装置２に格納されている映像コンテンツを取得し（ステップＳ１０６）、その映像コンテンツのデータを記憶部１７の映像コンテンツデータテーブル１７ｂに記憶する（ステップＳ１０７）。
一方、ＣＰＵ１８１が、映像コンテンツを取得するための操作がなされていないと判断すると（ステップＳ１０５；Ｎｏ）、ステップＳ１０１に戻る。
【００３６】
次いで、ＣＰＵ１８１は、テレビジョン受信装置１の操作部１６において、取得した映像コンテンツを表示するための操作入力がなされたか否かを判断する（ステップＳ１０８）。
ＣＰＵ１８１が、映像コンテンツを映像表示部１５に表示するための操作がなされたと判断すると（ステップＳ１０８；Ｙｅｓ）、ＣＰＵ１８１は、記憶部１７（映像コンテンツデータテーブル１７ｂ）に記憶されている映像コンテンツのデータを読み出し、映像コンテンツを映像表示部１５に表示し（ステップＳ１０９）、映像コンテンツ表示処理を終了する。
一方、ＣＰＵ１８１が、映像コンテンツを映像表示部１５に表示するための操作がなされていないと判断すると（ステップＳ１０８；Ｎｏ）、ステップＳ１０１に戻る。
【００３７】
以上のように、本発明に係るテレビジョン受信装置１は、ＥＰＧ情報に含まれているアクセス情報（アドレス情報）に基づき、ネットワークＮを介してコンテンツ格納装置２と接続することができ、そのコンテンツ格納装置２に格納されている新番組または特別番組のプロモーション用の映像コンテンツを取得し、テレビジョン受信装置１の映像表示部１５に取得した映像コンテンツを表示することができる。
このように、テレビジョン受信装置１は、新番組または特別番組の番組内容を、より詳細により判り易く説明するプロモーション用の映像コンテンツを表示することができるので、従来技術における文字情報による番組内容の説明に比べて、ユーザ（視聴者）に対して新番組または特別番組の番組内容をより判り易く提示することができる。
【００３８】
なお、以上の実施の形態において、テレビジョン受信装置１は、各種操作に応じてアクセス情報（アドレス情報）を検出したり、映像コンテンツを取得したりしたが、本発明はこれに限定されるものではなく、例えば、映像コンテンツ視聴操作のワンタッチ操作により、新番組や特別番組のプロモーションである映像コンテンツを表示可能とするようにしてもよい。
【００３９】
また、ネットワークＮを介して接続可能なコンテンツ格納装置２の数は任意であり、放送局の数や、映像コンテンツデータを管理する組織・団体などの数に応じて変化するものである。
【００４０】
また、その他、具体的な細部構造等についても適宜に変更可能であることは勿論である。
【図面の簡単な説明】
【００４１】
【図１】本発明に係るテレビジョン受信装置の要部構成を示すブロック図である。
【図２】本発明に係るテレビジョン受信装置における映像コンテンツ表示処理を示すフローチャートである。
【符号の説明】
【００４２】
１      テレビジョン受信装置
１１    チューナ（受信手段、取得手段）
１２    復調器
１３    デコーダ
１４    音声出力部
１５    映像表示部（表示手段）
１６    操作部（操作手段）
１７    記憶部（記憶手段）
１７ａ  ＥＰＧ情報データテーブル
１７ｂ  映像コンテンツデータテーブル
１８    制御部
１８１  ＣＰＵ（検出手段、接続手段、表示手段）
１８２  ＲＡＭ
１８３  ＲＯＭ
１８３ａ  映像コンテンツ表示制御プログラム
１８３ｂ  映像コンテンツ取得制御プログラム
１８３ｃ  外部機器接続プログラム
１８３ｄ  アクセス情報検出プログラム
１９    接続部（接続手段）
２      コンテンツ格納装置
Ｎ      ネットワーク
【図１】
2009055101.tif 000003
【図２】
2009055101.tif 000004